(57)【要約】灰がなくてもすのこを用いて蓋付炉に内蔵すれば解決する。【課題】従来の線香たては灰の中に立てる物が多く仏壇のせまい空間で線香が燃え尽きる迄側についておられない。供物など奥に手を伸ばした時火のついた線香に接触する時があった。燃え易い何かが落ちてきたりで火災、火傷の心配から表題の物件を考案した。【解決手段】灰の代りのすのこ……蓋孔に向いているすのこ孔、線香が短い場合すのこにせん香を立ててから着火する。そして蓋をする。この蓋も線香を長いまゝ使用する時着火しやすいが燃え残りの灰が落ちるのでこぼれ落ちないよう炉の口もしくわ蓋を受皿となるようにする。炉の大きさは高さ６０ｍｍ〜１５０ｍｍを最摘と考えます【選択図】図１
2006289044.tif 000002
【特許請求の範囲】
【発明の詳細な説明】
【技術分野】陶芸
【発明内容】
従来の香炉は灰の中に立てる物が多かった
家庭に於て線香が燃え尽きる迄側についておられない場合が多い。線香が倒れる、上から燃え易すいものが落ちてくる可能性があり火災等心配で時々の仏事で写真図の物件を考案した
【背景技術として】
過去に知っていたのは、おおかたは灰の入った陶器の線香立であった
今回特許出願にあたり出願既成の文献を大阪にある特許庁の出先機関にてパソコンを検索して調べさせて載きましたところ香炉について特許新案登録番号０２９４第３００９７９２平成７年２月１日三島さんと言われる方が特許を取られておりましたが私の考案したのとは少し異なるところが有りましたので申請致します。
【発明が解決しようとする課題】
１．見た眼  観賞できる。
２．共働きでお線香に火をつけて手を合すだけでその場を去らねばならない忙しい方々には安心できると思う。
３．蓋があるので直接火に触れることはない。
４．１本のお線香を３本に使う（香炉が小さい時）
【課題を解決する方法】
１．蓋に孔をつくる、すのこに孔をつくる、すのこの下に外部からクリーンな空気を流入させる．孔はあまり小さ過ぎると火は消える
２．落ちる灰（タバコ）の地点を考えて孔の大きさを決める。又、蓋部分を灰皿の様に周囲を流ち落ちないよう作る
３．炉が大きくなれば線香も長い丈で使用できる。
４．仏壇を置く場所がない場合小さくても使用できる安全な香炉。
５．すのこは取り出しが出来るように底の大きさも考える
【発明を実施する為の最良の方法】
小さい、作品製品なので粘土も小量ですみ、むつかしい技術でもないが、粘土細工は始めてで小し苦労したが乾燥させて素焼、上薬を塗って焼く、乾燥だけでも使用できる。
いかなることでも、たん念に手間暇かけた品とでは価値感がちがってくる。
家庭の茶事の床飾り。仏壇の広さでこの１．５倍〜２倍の大きさを最適と考える。
【実施例】お彼岸、お盆に遠い郷里に行けない時、所用でお墓参りに行けなくても先祖の供養ができると考え実行しています。
本床がなくても壁に西国巡礼で載きました御朱印の掛軸をかけ板一枚畳に置いて置床として季節の花や御彼岸団子を供えて香炉をおく。
仏事でなくても季節の掛軸茶花と香を楽しむ、床の間がなくても名人のお軸でなくても香の作法や知識がなくても。季節の書・物  花であれ食べ物であれ、一人であっても、先祖さんと対話をしてきょうの草団子の出来不出来を反省し乍ら香もお団子も時には楽しで味っております。
【産業上の利用の可能性】
殺伐とした昨今、毎日汗して働いて得たいかなる額の報酬であっても全部を消費してしまうから不足がでてくる。汗して苦労して財産を築いた人は簡単にはなくさないものであると考えた。
１  神様仏様と先人に感謝する意味で香を楽しむ、いい変えれば落ちつきを取り戻すということであろう、と考える。
１．本当の香をたく迄になると最高だと思います。
１．高齢化社会、３・４世代家族の絆を取り戻すには「子供や孫がお盆だから、御彼岸だから仏前にお参りに行ってくる」お祖父さん、お祖母さんへお元気伺い。
１．娘に蓮のついたのし紙をつけてもらって好物の菓子箱を仏前に供えておいでと行かせた。そこで仏壇に香炉やお線香があることを小さい乍ら覚えて知って大きくなったと何かと考える
１．昔から茶人や上流社会人は香合遊びを競いあってする程であったと読んだ。
１．かの有名な日本画家の掛軸でも銘菓であっても差しつかえはないのです。
2006289044.tif 000003
2006289044.tif 000004
【手続補正書】
【提出日】平成17年7月22日(2005.7.22)
【手続補正１】
【補正対象書類名】明細書
【補正の内容】
2006289044.tif 000005
2006289044.tif 000006
2006289044.tif 000007
2006289044.tif 000008
2006289044.tif 000009
【手続補正書】
【提出日】平成17年11月24日(2005.11.24)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】追加
【補正の内容】
【特許請求の範囲】
【請求項１】
灰の代わりのすのこ
【請求項２】
中心部に向いた蓋穴がある蓋
【手続補正３】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【発明の詳細な説明】
【技術分野】
【０００１】陶芸
【発明内容】
【０００２】従来の香炉は灰の中に立てる物が多かった、家庭に於て線香が燃え尽きる迄、側についておられない場合が多い、供物等奥に手を伸ばした時火傷、燃え易い物が落ちてくる可能性もあり  時々の仏事で、図のような線香たてを考案した。
【背景技術】
【０００３】過去に知っていたのはおおかたは灰の入った陶器の線香立てであった、今回特別出願にあたり出願既成の文献を大阪にある特許庁の出先機関にてパソコン検索して調べさせて載きましたところ香炉について特許新案登録番号０２９４第３００９７９２平成７年２月１日三島さんと言われる方が特許を取られておりましたが私の考案したのとは少し異なるところが有りましたので申請致します。
【発明が解決しようとする課題】
【０００４】１．置物としての装飾品、灰が要らない
１．共働きでお線香に火をつけて手を合すだけでその場を去らねばならない忙しい方々には安心できると思う。（火災）
１  蓋があるので直接火に触れることはない。（火傷）
１．１本のお線香を３本に使える（香炉が小さい時）
【課題を解決する方法】
【０００５】１  蓋孔は出来るだけ中心部に孔はつくる、蓋より上に線香が出た時、線香の周りか大きく空いている方か火は消えにくい。
１．蓋より上に出た時灰がこぼれ落ちないよう蓋部分か炉の口を受皿型とする。以上香炉の側についておられる時利用できる
１．すのこ孔は中心部は直立に周囲部分は蓋孔の中心部に向けて孔はつくる
多くある方が燃えかすを拾てる回数が少なくて済む。
【発明を実施する為の最良の方法】
【０００６】１．粘土細工の小さい作品なので小量ですみ、乾燥させて素焼上薬を塗って焼く乾燥だけでも使用できる。
【実施例】
【０００７】１．お彼岸お盆に遠い郷里に行けない時、所用でお墓参りに行けなくても先祖の供養はできると考え実行しています、本床がなくても壁に西国巡礼で載きました御朱印の掛軸をかけ板１枚畳に置いて置床として季節の花や御彼岸団子を供えて香炉を置く、仏事でなくても季節の書物、茶花と香を楽しむ、香の作法や知識がなくても名人の書物でなくても花であれ食べ物であれ一人であっても今日の草団子の出来不出来を反省し乍ら香をたき先人を偲んでおります。
【産業上の利用の可能性】
【０００８】１．神様仏様と先人に感謝する意味で香を楽しむ、いい変えれば落ちつきを取り戻すということであろうと考えます。香炉に線香が入っているだけでも香りを楽しむことができて静かに考える座禅もその一つであると思います。
１．高齢化社会３、４世代家族の絆を取り戻すには「子供や孫がお盆だから御彼岸だから仏前にお参りに行ってくる」お祖父さん、お祖母さんの御気元伺い
１．娘にお菓子屋さんで蓮のついたのし紙をつけてもらって好物の菓子箱を仏前に供えておいでと行かせた。そこで仏壇に香炉やお線香があることを見て知って大きくなったと考える。
１．仏壇がなくても愛犬や猫を供養するそれは子供心に何かを考えさせてくれるものであると思う。愛用できる物であると確信します。
【図面の簡単な説明】
【０００９】
【図１】炉の中心部の側面断面図
【手続補正４】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【図１】
2006289044.tif 000010